(57)【特許請求の範囲】
【請求項１】
ばねストリップ（３）を含み、無限に調節可能な維持用ストラップ（４）によって締められ得る装具（２）を有する外上顆炎クラスプ（１）であって、前記クラスプ（１）の内側上における前記装具（２）の一方端には上顆に圧力をかけるよう働くパッド（１２）が配され、前記パッド（１２）は、前記装具（２）の締めつけ方向に対して横断する長手方向と、一方端における広げられた部分（１５）とを有する、細長い概ね矩形のクッションとして構成され、前記パッド（１２）は、右腕または左腕への適用にかかわらず、前記広げられた部分（１５）が上腕方向を指すような態様で、前記パッドの長手方向に直交する中央軸（１７）を介して前記クラスプ（１）に回転可能なように固定される、外上顆炎クラスプ。
【請求項２】
前記パッド（１２）を支持する前記装具（２）の端部は、前記クラスプ（１）が適用され前記維持用ストラップ（４）が締められると蝶番のように曲がって前記パッド（１２）を腕に押付けるばねストリップ（３）の弱められた部分（１４）を介して、前記装具の遠方領域に連結される、請求項１に記載のクラスプ。
【請求項３】
前記弱められた部分（１４）の領域において、前記維持用ストラップ（４）は、前記装具（２）に弾性バンド（９）を介して固定される偏向要素（５）を介して前記装具（２）に蝶番式に取付けられ、前記弾性バンド（９）が延びるにつれて、前記弾性バンド（９）はそのようにして生じた緊張（１３）を前記パッド（１２）の領域に前記偏向要素（５）を介して導入する、請求項２に記載のクラスプ。
【請求項４】
前記弾性バンド（９）は前記装具（２）上に設けられるポケット（１１）において案内され、前記弾性バンド（９）は、目に見えるようになることによって、前記弾性バンド（９）が延びるにつれて前記弾性バンド（９）の緊張を示すマーク（１０）を設けられる、請求項３に記載のクラスプ。
【請求項５】
前記弱められた部分（１４）は、前記パッド（１２）を支持する端部が、前記装具（２）の遠方領域に対して捩じられることを可能にする、請求項２ないし４の１つに記載のクラスプ。
【請求項６】
前記パッド（１２）はその３つの角の各々に隆起部（２０、２１、２２）を有する、請求項１ないし５の１つに記載のクラスプ。
【請求項７】
前記隆起部（２０、２１、２２）は凹凸を設けられた表面（２４）を設けられる、請求項６に記載のクラスプ。
【請求項８】
前記パッド（１２）を支持する前記装具（２）の端部には、前記パッド（１２）上のマーク（Ｒ，Ｌ）をその捩じれの作用として見えるようにする覗き窓（１８）が設けられる、請求項１ないし７の１つに記載のクラスプ。
【発明の詳細な説明】
【０００１】
この発明は、ばねストリップを含み、無限に調節可能な維持用ストラップによって引締められ得る装具を有する外上顆炎クラスプに関する。
【０００２】
このような外上顆炎クラスプはＤＥ  Ｗ  ２６  ３５  ４２６  Ｃ２に開示されており、この外上顆炎クラスプは、概ね半円形のばねを有する装具を含み、かつその一方端に圧力プレートを有し、それは、タッチ−アンド−クローズ・ファスナーを設けられる維持用ストラップによって装具が締めつけられると前腕を押圧するが、装具がクッションまたはパッドを全く有さないためその過程においてこの領域に特別な圧力をかけないようになっている。
【０００３】
ＤＥ  ９１１５９９３  Ｕ１には、別の外上顆炎クラスプが開示されている。このクラスプは、維持用ストラップによって端部がともに引かれ得る弓状の装具を含んでおり、この装具は、前腕の関連領域のまわりに引締められる。この装具の内側に設けられるパッドは、この例においては、それが適用されてそれによるその治療効果を展開するよう意図される前腕部を押圧する。
【０００４】
最後に、ＤＥ  ９３１６３６８  Ｕ１を参照して、これには、２つの取外し可能な圧力クッションが内側に適合されるストリップ状の帯具を本質的に含む外上顆炎クラスプが開示されている。この帯具は維持用ストラップによって締められ得、クッションは所望の点に押付けられて上顆に圧力をかけて、それに対し治療を行なうように影響を与え得る。
【０００５】
この発明の目的は、右腕または左腕のいずれに適用されるにかかわらず治療上特に好ましい態様において、調整可能な態様で上顆に圧力を導入することが可能である外上顆炎クラスプを作ることである。
【０００６】
この発明に従うと、これは、クラスプの内側の装具の一方端に、上顆に圧力をかける働きをするパッドが配されるという事実によってもたらされるものであり、このパッドは、装具の締めつけ方向に対して横断する長手方向と、一方端における広げられた部分とを有する、細長い概ね矩形のクッションとして構成され、さらにこのパッドは、クラスプが右腕または左腕のいずれに適用されるにかかわらず、広げられた部分が上腕方向を指すような態様で、パッドの長手方向に直交する中央軸を介してクラスプに回転可能なように固定される。
【０００７】
装具の一方端に配され、細長い三角形のクッションの形式を有するパッドは、特に強力な作用を有し、前腕における解剖学上の関係を考慮し、肘から遠ざかる方向におけるより狭い圧力面に比して、前腕の外側において肘方向に治療上所望のより幅広い圧力面を作り出す構造であることが証明されている。パッドの回転性により、ここでは、特に装具の内側を見た場合にパッドの一方端にある広げられた側が装具の右手または左手側のいずれかにあるような態様で、パッドが各例において装具の長手方向を横断するように調整され得る。外上顆炎クラスプは、このように、右前腕または左前腕において万能に、かつ高い治療効果を伴って用いられ得る。
【０００８】
この外上顆炎クラスプから生ずる圧力効果を特にパッドの領域に集中させるため、その装具の構成は、便宜上、クラスプが適用され維持用ストラップが締められると蝶番のように曲がってパッドを腕に押付けるばねストリップの弱められた部分を介して、パッドを支持する装具の端部を装具の遠方領域に連結するような態様でなされる。ばねストリップの弱められた部分は、後者に対し、ある蝶番効果を、その弱い点において与え、その結果、維持用ストラップを締めても装具全体を引締めはしないが、その蝶番効果のため、パッドを支持する装具の端部は特に前腕方向に引かれ、それによって、この領域における圧力効果を増大させる。
【０００９】
維持用ストラップは、便宜上、弾性バンドを介して装具に固定される偏向要素を介して、装具に、その弱められた部分の領域の所で蝶番式に取付けられる。弾性バンドは、伸張すると、それによって生じた緊張をパッドの領域に偏向要素を介して導入する。この偏向要素および弾性バンドのこの構成の結果、外上顆炎クラスプによりかけられる圧力の特に好ましい導入がもたらされる。
【００１０】
外上顆炎クラスプが適用された場合にそれによって生ずる緊張を目に見えるものにするため、弾性バンドは、便宜上、装具上に設けられるポケットにおいて案内され、さらに、目に見えるようになることにより、弾性バンドが伸張するにつれてその緊張を示すマークを設けられる。
【００１１】
さらに、装具に含まれるばねストリップの上述の弱められた部分は、パッドを支持する装具の端部が装具の遠方領域に対して捩じれ得るよう利用され得る。パッドを有する装具の領域が捩じれることは、前腕の解剖学的構造のため、特に望ましい。
【００１２】
パッドを形成するクッションの治療上の効果を強力にするため、後者はその３つの角の各々に隆起部を有利に設けられ、それはその領域に特に集中された圧力をかける。このように圧力をかけることは、この隆起部に凹凸を有する表面を設けることによってさらに強力なものとされる。
【００１３】
パッドを支持する装具の端部に、パッドの捩じれの作用として、パッドが右腕または左腕への適用のために設定されるかどうかを示す覗き窓を設けることも有利に可能である。
【００１４】
この発明の例示的実施例を図面に示す。
図１は、ばねストリップを中に含む装具２を含む外上顆炎クラスプ１を示す。このばねストリップ３は、装具２に、以下にさらに記載される態様で結合される。この装具２は維持用ストラップ４に合併されるが、この維持用ストラップ４は装具２よりも幅が狭く、図１に従って閉じた状態で示されて表わされる状態では、偏向要素４を介して、延ばされた輪の形式でループにされ、その端部６が維持用ストラップ４の始まりの部分の上にくる状態で当てられ、そこでそれはタッチ−アンド−クローズ・ファスナー７によって維持用ストラップ４上において適所に保持される。装具２はその内側に織物支持部８（斜交平行線部）を設けられ、それによって外上顆炎クラスプの装着を容易にする。
【００１５】
偏向要素５は、以下にさらに示される理由から複数の横断シーム１０を設けられる弾性バンド９を介して、装具２に固定される。偏向要素から逸らされた側において、弾性バンド９は装具２上に設けられるポケット内を延び、そのポケット内でそれは装具２に固定される。装具２は、維持用ストリップ４に合併し、タッチ−アンド−クローズ・ファスナー７の毛の部分をそのいが要素で形成する織物材料からなるカバーで、装具２に含まれるばねストリップ３を覆う。
【００１６】
さらに、図１は、クッション１２として設計される、破線で描かれたパッドを示しており、これは、閉じて描かれている状態の外上顆炎クラスプ１の装具２の内側に配されており、したがって、図１では見えないものとして表現されている。このクッションについては、図４を参照して、さらに以下により詳細に説明する。
【００１７】
図２は、図１に表わされる外上顆炎クラスプ１を、軸方向図において、特に、図４の線Ａ−Ａに沿った断面において示す。図２から、端部６が維持用ストラップ４によってどのように適所に保持されるかは明らかであり、それは、偏向要素５の周囲でループをなされ、その端部６でもって維持用ストラップ４の関連部で支持され、そこでそれは図１に示されるタッチ−アンド−クローズ・ファスナー７の作用によって適所に保持される。装具２にはばねストリップ３が挟み込まれ、これは、装具２の最も大きな部分にわたって延び、後者に所望の柔軟な堅さを与える。
【００１８】
さらに、図２は、ポケット１１内における弾性バンド９を介しての偏向要素５の固定を示しており、弾性バンド９はポケット１１から短い距離にわたって突出している。図２に示される力の平行四辺形に従うと、維持用ストラップ４の折返された端部６によって偏向要素にかけられる緊張の影響は矢印１３で示される力を生じさせ、これは、クッション１２と対向する前腕部に作用する。この例においては所望される治療上の効果を達成するため、示される外上顆炎クラスプ１は、上顆に対して、治療を行なう医師が所望する位置にクッション１２が配されるような態様で、前腕に適用される。
【００１９】
図３は、図１および図２に示される外上顆炎クラスプ１を、延ばされた展開位置において示す。特に、偏向要素５は、外側から見える状態での平面図において示す。ばねストリップ３は破線で描き込まれており、ここでは弱められた部分１４を呈しており、それによって、ばねストリップ３はその端部領域に比して実質的に減じられる。ばねストリップ３のこの弱められた部分１４のため、前者は、ばねストリップ３に、ある蝶番効果を、その弱められた部分１４の領域において与え、その結果、維持用ストラップ４がきつく装着されると、装具２の、パッド１２を支持する部分が、そうでない場合には円形である装具２であるものに対して内方向に曲げられ、したがって、この点にある前腕部に対し、図２に示される矢印１３の方向で、特定の圧力をかけることができる。さらには、この弱められた部分１４によって、装具２は、クッション１２を支持するその部分とともに、装具２のより遠い領域に対して捩じれることが可能となり、したがって、前腕の形状に無理なく適合し得る。
【００２０】
維持用ストラップ４の端部６の折返しによって生じる、偏向要素５に対する緊張の影響で、維持用ストラップ４を保持する弾性バンド９が、その弾性のため、維持用ストラップ４によってかけられる緊張に従ってポケット１１から引出され、その場合、より多いまたは少ない数の横断シーム１０（図１参照）が見え、その数は従って関連の引張力、および後者を介して、前腕にかけられる圧力を読上げるのに用いられ得る。もちろん、横断シーム１０の代わりに、さまざまな色のストリップを用いることも可能である。
【００２１】
クッション１２を支持する装具２の端部を図４において、特に内側から見た図において示しており、したがって、クッション１２を直接見ることができる。クッション１２は、広げられた部分１５が一方側にある三角形に似た輪郭を有しており、三角形の形状によって特定化されるその長手方向の範囲で、装具２の長手方向を横断するように配される。クッション１２は、リベット１６により形成される軸１７を介して装具２上に回転可能に保持され、このリベット１６によって、クッション１２は、確実に、その回転能力を維持しながら装具２にきつく支持される。装具２に面する側において、クッション１２は「Ｒ」および「Ｌ」という２つのマークを有し、これらによって、それらが右腕または左腕のいずれに属するかが示される。これらのマークは装具２にある窓１８（図１参照）を通して見ることができ、その結果、外上顆炎クラスプの使用者は、クッション１２の回転に依って、そのクラスプが右腕または左腕のいずれに対して設定されるものかをすぐに認識する。図１において、破線で描かれる円１９でさらに示されるのは、それぞれ設定される位置においてクッション１２が保持される結合点である。
【００２２】
図４に示されるクッションの構造から、このクッションは、各例において、概ね三角形の形状により形成されるその角のところに、関連の点に増大された圧力をかけることによる特定の治療効果をもたらすような隆起部２０、２１および２２を設けられてもよいことがわかる。さらには、この３つの隆起部２０、２１および２２は、凹凸を付けられた表面のように、特定の治療効果を同様に達成するノブ２４を設けられる。しかしながら、このクッションは、リベット１６の周囲に形成される連続した単純な反りも設けられ得ることも指摘されるだろう。
【図面の簡単な説明】
【図１】装具を締める維持用ストラップを伴う外上顆炎クラスプの斜視図である。
【図２】図１に従う外上顆炎クラスプの、図４の線Ａ−Ａに沿った軸方向断面図である。
【図３】開いた位置にある、延ばされた展開状態における外上顆炎クラスプを示す図である。
【図４】外上顆炎クラスプのパッドの領域の内部の図である。
【符号の説明】
１  クラスプ
２  装具
３  ばねストリップ
４  維持用ストラップ
５  偏向要素
６  端部
７  タッチ−アンド−クローズ・ファスナー
８  織物支持部
９  弾性バンド
１０  横断シーム
１１  ポケット
１２  クッション
１３  矢印
１４  弱められた部分
１５  広げられた部分
１６  リベット
１７  軸
１８  窓
１９  円
２０  隆起部
２１  隆起部
２２  隆起部
２４  ノブ
【図１】
0004008100.tif 000002
【図２】
0004008100.tif 000003
【図３】
0004008100.tif 000004
【図４】
0004008100.tif 000005